(57)【要約】  加熱プレートＨを持つ細長いストレートナーアームＡを備えたヘアストレートナーにおいて、本発明は、細長いストレートナーアームＡの長手方向のピボット軸Ｐ１の周りで加熱プレートＨを揺動可能に支持するピボット機構２を提供する。好ましくは、ピボット軸Ｐ１は、第１のストレートナーアームと第２のストレートナーアームとが髪をクランプするために配置された相対的な位置にあるとき、加熱プレートＨの加熱面にあるか、又は第１のストレートナーアームの第１の加熱プレートと第２のストレートナーアームの第２の加熱プレートとの間にある。有利には、バイアス機構４（例えば、ばねのような弾力性のある部材）が加熱プレートＨを中立位置に偏らせる。
2021534932.tif 000002
【特許請求の範囲】
【請求項１】
ヘアストレートナーであって、
加熱プレートを持つ細長いストレートナーのアームと、
前記細長いストレートナーアームの長手方向の仮想ピボット軸の周りで前記加熱プレートを揺動可能に支持するピボット機構とを有し、
前記仮想ピボット軸が、第１のストレートナーアームと第２のストレートナーアームとが髪をクランプするために配置された相対的な位置にあるとき、前記加熱プレートの加熱面にあるか、又は前記第１のストレートナーアームの第１の加熱プレートと前記第２のストレートナーアームの第２の加熱プレートとの間にあり、
前記第１及び前記第２の加熱プレートは、毛髪の形状／カーブに自動的に追従し、力に合わせて自由に調整可能である、ヘアストレートナー。
【請求項２】
前記加熱プレートを中立位置にバイアスするバイアス機構を更に有する、請求項１に記載のヘアストレートナー。
【請求項３】
前記バイアス機構が、前記ピボット機構に結合され、前記ピボット機構が前記中立位置から角度のある位置に切り替えられるときに前記ピボット機構に抵抗力を与え、前記ピボット機構を前記角度のある位置から前記中立位置に戻すよう構成された弾力性のある部材を有する、請求項２に記載のヘアストレートナー。
【請求項４】
前記ピボット機構が、３本バーリンク機構として配置され、前記３本バーリンク機構は、
前記細長いストレートナーアームの本体と前記加熱プレートの間に設けられた支持部であって、前記支持部が、第１のバーと、前記第１のバーに対向して配置された第２のバーとを含む、支持部と、
前記第１のバー及び前記第２のバーに結合するトップ部とを有し、
前記第１のバーが、前記細長いストレートナーアームの本体に結合された第１のベースピボットと、前記トップ部に結合された第１のトップピボットとを含み、
前記第２のバーは、前記細長いストレートナーアームの本体に結合された第２のベースピボットと、前記トップ部に結合された第２のトップピボットとを含み、
前記第１のベースピボット及び前記第２のベースピボットが、前記第１のトップピボットと前記第２のトップピボットとの間のトップ距離を超えるベース距離だけ離れている、請求項１乃至３のいずれかに記載のヘアストレートナー。
【請求項５】
前記ピボット機構が、軸受機構として配置され、前記軸受機構は、
前記加熱プレートを支持するロータと、
前記ロータと前記細長いストレートナーアームの本体との間に配置され、前記ロータを揺動可能に支持する部材とを有する、請求項１に記載のヘアストレートナー。
【請求項６】
前記ロータが、前記加熱プレートを支持するトップ部を持つ部分円筒又は球体として構成される、請求項６に記載のヘアストレートナー。
【発明の詳細な説明】
【技術分野】
【０００１】
本発明は、ヘアストレートナーに関する。
【背景技術】
【０００２】
ＵＳ２０１５１３６１６９号は、ヘアスタイリング装置が、それぞれが加熱可能なプレート及びアーム部材を備える第１及び第２のアームを有することを開示する。
【発明の概要】
【発明が解決しようとする課題】
【０００３】
第１及び第２のアームは、第１のアームの加熱可能なプレートが第２のアームの加熱可能なプレートに隣接する閉位置と、各アームの加熱可能なプレートが間隔を空けて配置される開位置との間で移動可能である。少なくとも１つのアームの加熱可能なプレートは、ピボットの周りで、それぞれのアーム部材に結合される。ピボットは、上記それぞれのアーム部材の長さに対して横方向の軸の周りで加熱可能なプレートが上記それぞれのアーム部材に対して相対的に移動することを可能にする。その結果、加熱可能なプレートがピボットする。
【０００４】
ＪＰ２０１４２１７７４８号は、開閉可能な一対のアームの間に毛髪を挟む加熱部材を有するヘアアイロンが可能なものを開示する。第１の加熱面は、アームの開閉方向に対して３０°〜８０°の斜めの形状に形成されている。保持部材は、加熱部材を傾斜した状態で保持する。
【０００５】
ＵＳ２０１０／０８３９７８Ａ１号は、本質的に円筒形の加熱部を持つヘアスタイリング装置を開示し、その加熱部には、髪を加熱するための少なくとも１つの加熱可能なスタイリング部が設けられている。スタイリング部の周囲にはガイド手段が配置されている。加熱可能なスタイリング部及びガイド手段は、互いに対して回転されることができる。
【０００６】
本発明の目的は特に、改良されたヘアストレートナーを提供することである。本発明は、独立請求項により規定される。有利な実施形態は、従属請求項に規定される。
【課題を解決するための手段】
【０００７】
本発明の一態様は、加熱プレートを持つ細長いストレートナーアームを備え、ピボット機構が、細長いストレートナーアームの長手方向のピボット軸の周りで加熱プレートを揺動可能に支持するヘアストレートナーを提供する。好ましくは、ピボット軸は、第１のストレートナーアームと第２のストレートナーアームとが髪をクランプするために配置された相対的な位置にあるとき、加熱プレートの加熱面にあるか、又は第１のストレートナーアームの第１の加熱プレートと第２のストレートナーアームの第２の加熱プレートとの間にある。有利には、バイアス機構（例えば、バネのような弾力性のある部材）が加熱プレートを中立位置に偏らせる。
【０００８】
本発明の様々な実施形態は、以下の考察に基づかれる。ヘアストレートナーは、髪をまっすぐにするために使用される。それらは主に２つのアームからなり、両端に加熱プレートが付いている。プレートの多くはゴムを介して懸架され、髪の毛を挟んだときにたわむようになっている。この屈曲は、引っ張りに強くし、熱の良好な分散をもたらし、ドラッグ（ｄｒａｇ、引っ張り）／スティックスリップを少し減らす。しかしながら、このシステムはゴムを介してフォースバランスをとっているため、プレートが髪の毛に最適に沿うものではなく、非効率をもたらす可能性がある。有利な実施形態では、ヘアレベルの仮想ピボットポイントと、髪の形状／カーブに自動的に追従し、力に合わせて自由に調整できるプレートを提供する。これは、良好な熱伝導、及び好適かつ一層コントロールされたグライディングをもたらす。
【０００９】
本発明のこれらの及び他の態様が、以下に説明される実施形態より明らとなり、これらの実施形態を参照して説明される。
【図面の簡単な説明】
【００１０】
【図１Ａ】本発明によるヘアストレートナーの一実施形態を示す図である。
【図１Ｂ】本発明によるヘアストレートナーの一実施形態を示す図である。
【図２】本発明の一実施形態によるピボット機構の詳細表示を示す図である。
【図３Ａ】図２に示したピボット機構の動きを説明する図である。
【図３Ｂ】図２に示したピボット機構の動きを説明する図である。
【図３Ｃ】図２に示したピボット機構の動きを説明する図である。
【図４Ａ】本発明の別の実施形態によるピボット機構の動きを示す図である。
【図４Ｂ】本発明の別の実施形態によるピボット機構の動きを示す図である。
【図４Ｃ】本発明の別の実施形態によるピボット機構の動きを示す図である。
【図５Ａ】本発明の別の実施形態によるピボット機構の詳細表示を示す図である。
【図５Ｂ】図５Ａに示したピボット機構の側面表示を示す図である。
【図６Ａ】本発明の更に別の実施形態によるピボット機構の動きを示す図である。
【図６Ｂ】本発明の更に別の実施形態によるピボット機構の動きを示す図である。
【図６Ｃ】本発明の更に別の実施形態によるピボット機構の動きを示す図である。
【図７】本発明の一実施形態によるピボット機構を示す図である。
【図８】本発明の別の実施形態によるピボット機構を示す図である。
【発明を実施するための形態】
【００１１】
同じ又は類似の要素を示すため、図面を通して同じ又は類似の参照シンボルが使用される。
【００１２】
図１Ａ、図１Ｂは、一対の細長いヘアストレートナーアームＡの断面を示す。ストレーテナーアームＡの長手方向は、図１Ａ、図１Ｂの２次元断面に対して垂直である。図１Ａ及び図１Ｂの実施形態では、ヘアストレートナーのアームＡにおいて、転動部材Ｒ１、Ｒ２によりピボット機構が形成される。ピボット機構は、アームＡ本体と加熱プレートＨの間にある。転動部材Ｒ１は、加熱プレートＨが取り付けられる転動部材Ｒ２の傾きを可能にする。図１は加熱プレートＨが中立位置にある状態を示し、図２は加熱プレートＨが傾いてた位置にある状態を示す。加熱プレートＨが傾くことを可能にすることで、プレートは毛髪に追従することができる。その結果、毛髪に望ましくない曲げが加えられることはない。
【００１３】
図２は、本発明によるヘアストレートナーで使用するための別のピボット機構２の詳細図を示す。ピボット機構２は、加熱プレートＨが取り付けられる面に平行な仮想の第１ピボット軸Ｐ１を規定している。動作中、ピボット機構２の動きに基づき、仮想ピボット軸Ｐ１が規定された経路に沿って自動的に移動される。図５Ａでは、ピボット機構２の動きが矢印６で概略的に示される。本開示の様々な実施形態において、ピボット機構２は、加熱プレートＨに結合されたトップ部２１（明確にするために、加熱プレートＨは図２に示されていない）と、ベース部分１に結合された支持部２２とを有する。トップ部２１と支持部２２とは、互いに対して移動可能であり、動作時には加熱プレートＨがピボット機構２により揺動可能に支持される。
【００１４】
図２に更に示されるように、ピボット機構２により規定されたトップ部２１のための第１ピボット軸Ｐ１は、トップ部２１により規定された表面２１１と平行である。動作中、第１ピボット軸Ｐ１は、実質的にトップ部２１の表面２１１に位置するか、又は規定された高さｈだけベース部１と反対側の表面２１１の上に位置する。
【００１５】
本書では、仮想ピボット軸は、ピボット機構２により規定される装着された加熱プレートＨの瞬間的な回転軸とみなされることができる。動作中、加熱プレートＨは、毛髪器具の本体１に対して揺動可能であってもよい。使用時には、仮想ピボット軸Ｐ１は、髪の表面にあっても、髪の中にあってもよい。結果的に、スタイリングのために髪の毛を通り誘導されるときピボット機構２の揺動応答能力が適宜調整されることができる。こうして、加熱プレートＨの毛髪追従性が向上されることができる。
【００１６】
図３Ａ〜図３Ｃは、図２に示したピボット機構２の動きを示す。図に示すように、ピボット機構２は、第１の位置と第２の位置との間で切り替え可能である。第１の位置では、トップ部２１の表面は、ベース部１の表面に対して第１の角度をなしている。第２の位置では、トップ部２１の表面は、ベース部１の表面に対して、第１の度合とは異なる第２の角度をなしている。
【００１７】
図３Ａ〜図３Ｃに示すような例では、第１の位置は中立位置（図３Ｂ）とすることができ、第２の位置は旋回位置（図３Ａ及び図３Ｃ）とすることができる。ピボット機構２が中立位置に位置しているとき、トップ部２１の表面とベース部の表面との間の角度はゼロであり、即ち、２つの表面は互いに平行である。ピボット機構２が旋回位置にあるとき、トップ部の表面とベース部の表面はゼロでない角度を形成している。言い換えると、揺動運動の際には、加熱プレートＨは、所与の角度範囲内で連続的に往復運動されることができる。ここでも、分かりやすさのため、加熱プレートＨは図３Ｂにのみ示されている。
【００１８】
これは、有益である場合がある。なぜなら、加熱プレートＨの毛髪追従性がこうして更に向上されることができるからである。髪の毛の上を移動されるとき、加熱プレートＨは、仮想ピボット軸Ｐ１により規定されたそれぞれの支点に関連付けられたレバーとみなされることができる。これは、図３Ａ〜図３Ｃに示すように、仮想ピボットＰ１が加熱プレートＨの中心部又は中央部に配置される場合には、更に有益である。
【００１９】
更に、図３Ａ〜３Ｃを参照すると、いくつかの実施形態では、毛髪器具は、ピボット機構２に結合された弾力性のある部材４を更に含んでいてもよい。弾力性部材４は、ピボット機構２が第１の位置から第２の位置に切り替えられるとき、ピボット機構２に抵抗力を与えるよう構成される。一方、弾力性のある部材４は、ピボット機構２を第２の位置から第１の位置に復元するように更に構成される。ピボット機構２に弾力性のある部材４を加えることにより、ピボット機構２のよりスムーズでバランスのとれた動作が確実にされることができる。
【００２０】
例えば、いくつかの実施形態では、弾力性のある部材４は、一定のばね定数を持つばね、又は一定のトルクを持つばねとすることができる。バネ定数が一定のバネを追加すると、ピボット機構２が中立位置から更に回転したときより大きな力をもたらすことになる。一方、定トルクのバネであれば、力は一定になる。
【００２１】
図３Ａ〜図３Ｃに示すような例示的な実施形態では、一定のバネ定数を持つバネが採用される。この例では、バネの一端がピボット機構２のトップ部２１に結合され、バネの他端がベース部１に結合される。バネを長くする又は短くすることによりバネのプレテンション変化させることで、バネにより適用される力は、手動又は電気的に、可変にされることができることを理解されたい。
【００２２】
弾力性要素４は、加熱プレートＨが毛髪に沿って案内されるとき、例えば基本的に湾曲した首の部分でスタイリング操作の動作中に容易に克服できる程度に復元力が小さくなるように、規定又は選択されてもよい。結果的に、加熱プレートＨは、基本的に毛髪表面に対して自己整列することができ、更に、外部からの負荷又は力が解放された直後に自己復元することができる。
【００２３】
更に、図３Ａ〜図３Ｃを参照すると、いくつかの実施形態では、ピボット機構２は、台形の形状を持つ、３本バーリンク機構として配置される。図示するように、３本バーリンクピボット機構は、第１のバー２３と、第１のバー２３に対向して配置された第２のバー２４とを有し、両者がピボット機構２の支持部２２として構成される。更に、３本バーリンクピボット機構は、第１バー２３及び第２バー２４に結合し、ピボット機構２のトップ部２１として構成されるトップバー（「コネクティングバー」ともいう）を有する。
【００２４】
図３Ａ〜図３Ｃに更に示されるように、第１バー２３は、ベース部１に結合された第１ベースピボット２３１と、トップバーに結合された第１トップピボット２３２とを有する。更に、第２バー２４は、ベース部１に結合された第２ベースピボット２４１と、トップバーに結合された第２トップピボット２４２とを有する。第１ベースピボット２３１及び第２ベースピボット２４１は、ベース部１に配置され、所定の距離ｄ１だけ離れている。
【００２５】
一般的に、毛髪器具、特に加熱プレートＨのサイズ及び質量を小さくすることが望まれているため、加熱プレートＨに対してピボットを配置することに関して、実用的な設計上の制限がある。これは、１軸のリンクユニット、又は加熱プレートＨ用の円形ジョイント、ニージョイント（通常、軸又はジョイントは加熱プレートＨの毛髪とは反対側に配置される）を実現するための設置スペースが、従来は限られていた可能性があるためである。また、ピボット軸を配置できる範囲が限られる場合もある。従って、斯かる従来の加熱プレートＨを装着することは、加熱プレートＨの毛髪追従性に悪影響を及ぼすと考えられる。なぜなら、旋回性が著しく悪くなるからである。
【００２６】
３本バーリンク機構が適切な態様で設計されることが観察される。その結果、動く（又は浮く）仮想ピボットとも言える仮想ピボット軸Ｐ１が規定されることができる。図３Ａ〜図３Ｃに示すように、加熱プレートＨの前後の揺動運動中、３本バーリンク機構は、仮想的な揺動が（バーチャルに）配置されるよう設計されてもよい。仮想ピボット軸Ｐ１は、トップ部２１から所定の距離に配置されている。これは、設置可能なスペースを考慮した上で、従来のシングルピボットカップリング機構では実現できなかったことである。場合によっては、結果として得られる仮想ピボットは、例えば加熱プレートＨの中央部のように、更なる要素により基本的に妨げられる毛髪器具の部分に配置されることもできる。
【００２７】
図３Ａ〜図３Ｃに示すように、いくつかの実施形態では、第１のベースピボット２３１と第２のベースピボット２４１との間の距離ｄ１により規定されるベース部分１の長さは、第１のトップピボット２３２と第２のトップピボット２４２との間の距離ｄ２により規定されるトップ部２１の長さよりも大きくなっている。こうして、仮想ピボット軸Ｐ１は、第１の位置で、トップ部２１の高さよりも上方に、言い換えれば、髪の毛の中にシフトされることができる。
【００２８】
いくつかの実施形態では、第１ベースピボット２３１、第２ベースピボット２４１、第１トップピボット２３２、及び第２トップピボット２４２の少なくとも１つは、リビングヒンジ、特にフィルムヒンジとして構成される。図４Ａ〜図４Ｃは、本開示のピボット機構２の実施形態を示す。本例では、第１ベースピボット２３１、第２ベースピボット２４１、第１トップピボット２３２、第２トップピボット２４２の全てがフィルムヒンジとして構成される。
【００２９】
フィルムヒンジ又は薄膜ヒンジは、例えば射出成形法で製造されることができる。結果的に、ピボットの少なくとも１つと、そのピボットにより接続されるそれぞれの隣接する部分とが、基本的に同じ材料から一体的に製造されることができる。この構成は、ピボットに実質的に（機械的な）遊びがないことを更に確実にする。別々の要素で構成されるメカニカルジョイントは、スムーズな揺動を可能にするために、所定の遊びを含むクリアランスフィット方式で設計されるのが一般的である。更に、フィルムヒンジは、ジョイントの（内部）汚染が防止されることができるという利点を更に持つ。別の実施形態によれば、３本リンク機構の少なくとも第１バー、第２バー及びトップバーと、それぞれのベースピボット及びトップピボットとは、シングルピースとして一体的に形成される。
【００３０】
図５Ａ〜図５Ｂは、本開示の別の実施形態を示す。本例では、ピボット機構２は、トップ部２１の第２ピボット軸Ｐ２を更に有する。第２ピボット軸Ｐ２は、第１ピボット軸Ｐ１に対して実質的に垂直に配置されている。こうして、（矢印６により示される）２次元（２Ｄ）自由度（ＤｏＦ）における加熱プレートＨの揺動運動を可能にする仮想第１軸Ｐ１の他に、仮想第１軸Ｐ１と直交する方向に沿った追加的な実際の軸Ｐ２が設けられることができ、３次元における揺動運動が可能にされ（矢印７参照）、これにより３次元（３Ｄ）自由度が実現される。言い換えれば、第２のピボット軸Ｐ２に沿って観察すると、第２のピボットはロッキングポイントとみなされることができる（図５Ｂ）。
【００３１】
図６Ａ〜図６Ｃは、本開示のピボット機構２の別の実施形態を示す。本例では、ピボット機構２は、ロータ２１と、ロータ２１を揺動可能に支持するためにロータ２１とベース部１との間に配置されたオプションの転動部材２２（例えば、ローラ又はホイール）とを有する軸受機構として配置される。本実施形態では、ロータがトップ部２１として構成されており、転動部材が支持部２２として構成される。
【００３２】
このタイプのピボット機構２は有益である。なぜなら、通常、転動部材が小さなスペースしか消費しないため、ピボット機構２が更に小型化される可能性があるからである。これは、毛髪器具のコンパクト性を更に向上させることになる。しかしながら、転動部材２２を用いる代わりに、ピボット機構２がすべり軸受として実現されてもよい。
【００３３】
図７は、図６に示したピボット機構２の一実施形態を概略的に示す。この例では、トップ部２１（即ち、ロータ）は部分円筒として構成されており、部分円筒は、トップ部２１の表面２１１を規定する矩形断面を有する。ここでは、図６に示したようなローラー２２は省略される。
【００３４】
この場合、部分円筒の形状により、仮想軸Ｐ１は、トップ部２１の表面２１１の上又は中にあり、その位置は変化しない（又は浮いている）。図７の例に示すように、部分円筒は、１８０°の円弧に対応する半円形の端面を持つ。この場合、図７に示すように、仮想軸Ｐ１は、トップ部２１の表面２１１に位置している。言い換えれば、仮想軸Ｐ１は、部分円筒が得られる円筒の中心軸とみなされることもできる。別の実施形態では、部分円筒が小半円の端面（即ち、１８０°未満の円弧に相当する）を持つ場合、仮想軸はトップ部の表面の上方に位置する。
【００３５】
図８は、図６に示したピボット機構２の別の実施形態を示す。この例では、トップ部２１（即ち、ロータ）は部分的な球体として構成されており、部分的な球体は、トップ部２１の表面２１１を規定する円形の断面を有する。図７に示すような部分円筒ロータと比較して、部分球形ロータは３Ｄ揺動運動を提供することができ、これは、コーミング動作時の髪の追従性の柔軟度を更に向上させる。
【００３６】
いくつかの実施形態では、毛髪器具は、動作中にトップ部２１と髪との間の角度を検出するよう構成されたセンサーを更に含んでいてもよい。従って、ピボット機構２は例えば、アクチュエータの制御の下で、閾値を超える角度を検出することに基づき、角度を「能動的に」減少させるようにピボットするよう構成されることができる。
【００３７】
これは、有益である。なぜなら、それは、プロアクティブなピボット機構を提供するからである。言い換えると、実際の角度が最適化された角度からわずかな値だけずれているだけで、ピボット機構２が早い段階で揺動を開始することができる。こうして、それは、より正確な態様でピボット機構を提供する。更に、斯かるプロアクティブなピボット機構は、快適性を更に向上させることができる。なぜなら、トップ部２１が加熱プレートＨと毛髪との相互作用に起因する一定の外力を受けるまで待つのではなく、ピボット機構２がより早く揺動を開始するからである。
【００３８】
上記の実施形態は、本発明を限定するものではなく例示するものであり、当業者は、添付の特許請求の範囲から逸脱することなく多くの代替実施形態を設計できることに留意されたい。請求項において、括弧の間に置かれた任意の参照符号は、請求項を限定するものとして解釈されるべきではない。「有する」という語は、請求項に記載される以外の要素又はステップの存在を排除するものではない。要素に先行する単語「ａ」又は「ａｎ」は、斯かる要素の複数の存在を排除するものではない。本発明は、いくつかの別個の要素を含むハードウェアにより実現されることができる。いくつかの手段を列挙するデバイスクレームにおいて、これらの手段のいくつかは、ハードウェアの１つの同じアイテムにより実現されることができる。相互に異なる従属請求項に記載される手段は、組み合わせて有利に使用されることができる。
【図１Ａ】
2021534932.tif 000003
【図１Ｂ】
2021534932.tif 000004
【図２】
2021534932.tif 000005
【図３Ａ】
2021534932.tif 000006
【図３Ｂ】
2021534932.tif 000007
【図３Ｃ】
2021534932.tif 000008
【図４Ａ】
2021534932.tif 000009
【図４Ｂ】
2021534932.tif 000010
【図４Ｃ】
2021534932.tif 000011
【図５Ａ】
2021534932.tif 000012
【図５Ｂ】
2021534932.tif 000013
【図６Ａ】
2021534932.tif 000014
【図６Ｂ】
2021534932.tif 000015
【図６Ｃ】
2021534932.tif 000016
【図７】
2021534932.tif 000017
【図８】
2021534932.tif 000018
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
ヘアストレートナーであって、
第１の加熱プレートを持つ細長い第１のストレートナーのアームと、
前記第１の細長いストレートナーアームの長手方向の仮想ピボット軸の周りで前記第１の加熱プレートを揺動可能に支持するピボット機構と、
第２の加熱プレートを持つ細長い第２のストレートナーのアームとを有し、
前記第１及び第２の加熱プレートが、毛髪の形状／カーブに自動的に追従し、力に合わせて自由に調整可能であり、
前記仮想ピボット軸が、前記第１のストレートナーアームと前記第２のストレートナーアームとが髪をクランプするために配置された相対的な位置にあるとき、前記第１の加熱プレートの加熱面にあるか、又は前記第１のストレートナーアームの第１の加熱プレートと前記第２のストレートナーアームの第２の加熱プレートとの間にある、ヘアストレートナー。
【請求項２】
前記加熱プレートを中立位置にバイアスするバイアス機構を更に有する、請求項１に記載のヘアストレートナー。
【請求項３】
前記バイアス機構が、前記ピボット機構に結合され、前記ピボット機構が前記中立位置から角度のある位置に切り替えられるときに前記ピボット機構に抵抗力を与え、前記ピボット機構を前記角度のある位置から前記中立位置に戻すよう構成された弾力性のある部材を有する、請求項２に記載のヘアストレートナー。
【請求項４】
前記ピボット機構が、３本バーリンク機構として配置され、前記３本バーリンク機構は、
前記細長いストレートナーアームの本体と前記加熱プレートの間に設けられた支持部であって、前記支持部が、第１のバーと、前記第１のバーに対向して配置された第２のバーとを含む、支持部と、
前記第１のバー及び前記第２のバーに結合するトップ部とを有し、
前記第１のバーが、前記細長いストレートナーアームの本体に結合された第１のベースピボットと、前記トップ部に結合された第１のトップピボットとを含み、
前記第２のバーは、前記細長いストレートナーアームの本体に結合された第２のベースピボットと、前記トップ部に結合された第２のトップピボットとを含み、
前記第１のベースピボット及び前記第２のベースピボットが、前記第１のトップピボットと前記第２のトップピボットとの間のトップ距離を超えるベース距離だけ離れている、請求項１乃至３のいずれかに記載のヘアストレートナー。
【請求項５】
前記ピボット機構が、軸受機構として配置され、前記軸受機構は、
前記加熱プレートを支持するロータと、
前記ロータと前記細長いストレートナーアームの本体との間に配置され、前記ロータを揺動可能に支持する部材とを有する、請求項１に記載のヘアストレートナー。
【請求項６】
前記ロータが、前記加熱プレートを支持するトップ部を持つ部分円筒又は球体として構成される、請求項６に記載のヘアストレートナー。
【国際調査報告】
2021534932.tif 000019
2021534932.tif 000020